(57)【要約】【課題】保持部品などの別部品を設けずにオイルパン内でセンサを保持できる、変速機におけるセンサ保持構造を提供する。また、オイルパン内に配索される配線の余長を良好に処理できる、変速機における配線処理構造を提供する。【解決手段】ストレーナ４の外周部には、センサ保持部２１がストレーナ４と一体的に設けられている。センサ保持部２１には、油温センサ２４が保持される。また、ストレーナ４の外周部には、複数の配線止め部３１がストレーナ４と一体的に設けられている。油温センサ２４から延びる配線３３は、その途中部分が配線止め部３１に止められる。【選択図】図１
2019065885.tif 000002
【特許請求の範囲】
【請求項１】
バルブボディに取り付けられたストレーナを収容するようにオイルパンが設けられる変速機におけるセンサ保持構造であって、
前記ストレーナに、センサを保持するセンサ保持部が一体的に設けられている、センサ保持構造。
【請求項２】
バルブボディに取り付けられたストレーナを収容するようにオイルパンが設けられる変速機において、前記オイルパン内で配索される配線を処理する配線処理構造であって、
前記ストレーナに、前記配線を止めるための配線止め部が一体的に設けられている、配線処理構造。
【発明の詳細な説明】
【技術分野】
【０００１】
本発明は、変速機におけるセンサ保持構造および配線処理構造に関する。
【背景技術】
【０００２】
車両に搭載される自動変速機では、その外殻をなすトランスミッションケースの底部に、オイルを貯留するオイルパンが取り付けられている。そして、オイルポンプにより、オイルパンに貯留されているオイルがストレーナを介して吸い上げられ、油圧回路を形成するバルブボディを通して、オイルの供給を必要とする各部に作動油または潤滑油として供給される。
【０００３】
オイルの温度を検出するため、油温センサがオイルパン内のオイルに浸漬されている。オイルは、温度によって粘性が変化するので、自動変速機の各部に供給される油圧を制御する制御装置は、温度センサにより検出されるオイルの温度に基づいて、油圧回路に含まれるソレノイドバルブなどを制御することにより、自動変速機の各部を良好に動作させることができる。
【先行技術文献】
【特許文献】
【０００４】
【特許文献１】特開２０１７−６７１６１号公報
【発明の概要】
【発明が解決しようとする課題】
【０００５】
油温センサは、バルブボディに固定されている。油温センサは、樹脂モールド品であるため、そのままバルブボディにボルトで締め付けると、樹脂部分が割れてしまう。そのため、板金からなる保持部品により油温センサを保持させて、その保持部品をボルトによりバルブボディに締結するなどの対策が必要である。しかしながら、保持部品を設ける場合、部品点数の増加に伴い、センサを組み付ける際の作業工数の増加および自動変速機のコストの増大を招く。
【０００６】
また、油温センサから延びる配線などの余長の取り扱いに工夫が必要である。
【０００７】
本発明の目的は、保持部品などの別部品を設けずに、オイルパン内でセンサを保持できる、変速機におけるセンサ保持構造を提供することである。
【０００８】
また、本発明の他の目的は、オイルパン内に配索される配線の余長を良好に処理できる、変速機における配線処理構造を提供することである。
【課題を解決するための手段】
【０００９】
前記の目的を達成するため、本発明の一の局面に係る変速機におけるセンサ保持構造は、バルブボディに取り付けられたストレーナを収容するようにオイルパンが設けられる変速機におけるセンサ保持構造であって、ストレーナに、センサを保持するセンサ保持部が一体的に設けられていることを特徴とする。
【００１０】
この構成によれば、ストレーナにセンサ保持部が一体的に設けられているので、保持部材などの別部品を設けずに、センサ保持部によりセンサをオイルパン内で保持することができる。そのため、従来と比較して、部品点数を削減することができる。そして、部品点数の削減に伴い、センサを組み付ける際の作業工数を低減することができ、また、変速機のコストを低減することができる。
【００１１】
前記の他の目的を達成するため、本発明の他の局面に係る変速機における配線処理構造は、バルブボディに取り付けられたストレーナを収容するようにオイルパンが設けられる変速機において、オイルパン内で配索される配線を処理する配線処理構造であって、ストレーナに、配線を止めるための配線止め部が一体的に設けられていることを特徴とする。
【００１２】
この構成によれば、ストレーナに配線止め部が一体的に設けられているので、配線を配線止め部に止めることにより、配線をストレーナに沿わせて配索することができる。そのため、配線が余長を有していても、その余長を良好に処理することができる。
【発明の効果】
【００１３】
本発明によれば、別部品を設けずにオイルパン内でのセンサの保持が可能となり、従来よりも部品点数を削減でき、ひいては、センサ組み付けの作業工数および変速機のコストを低減できる。また、オイルパン内に配索される配線が余長を有していても、その余長を良好に処理することができる。
【図面の簡単な説明】
【００１４】
【図１】本発明の一実施形態に係る自動変速機の底面図であり、オイルパンが取り外された状態を示す。
【図２】ストレーナの斜視図である。
【図３】ストレーナの斜視図であり、図２と角度を変えて見た斜視図である。
【図４】ストレーナの一部を示す断面図である。
【発明を実施するための形態】
【００１５】
以下では、本発明の実施の形態について、添付図面を参照しつつ詳細に説明する。
【００１６】
＜自動変速機＞
図１は、本発明の一実施形態に係る自動変速機１の底面図であり、オイルパンが取り外された状態を示す。
【００１７】
自動変速機１は、有段式の自動変速機（ＡＴ：Automatic Transmission）であってもよいし、無段変速機（ＣＶＴ：Continuously Variable Transmission）であってもよい。また、自動変速機１は、動力分割式無段変速機であってもよい。動力分割式無段変速機は、たとえば、変速比の変更により動力を無段階に変速するベルト式の無段変速機構を備え、インプット軸とアウトプット軸との間で動力を２つの経路に分岐して伝達可能な変速機である。
【００１８】
自動変速機１は、トランスミッションケース２を備えている。トランスミッションケース２内の底部には、バルブボディ３が設けられている。バルブボディ３には、自動変速機１の各部への油圧（作動油または潤滑油）の供給を制御するための各種のバルブを含む油圧回路が形成されている。バルブボディ３には、ストレーナ４が下側から取り付けられている。トランスミッションケース２には、オイルを貯留するオイルパン（図示せず）が下側から複数のボルトで固定される。ストレーナ４は、オイルパンに収容されて、オイルパン内に貯留されるオイルに浸漬される。
【００１９】
＜ストレーナ＞
図２および図３は、ストレーナ４の斜視図である。図４は、ストレーナ４の一部を示す断面図である。
【００２０】
ストレーナ４は、合成樹脂製のアッパケース１１と、アッパケース１１に下側から重なる合成樹脂製のロアケース１２とを備えている。アッパケース１１とロアケース１２との間には、図４に示されるように、たとえば、不織布からなる濾過材１３がその周縁部をアッパケース１１の外周部とロアケース１２の外周部とに挟まれて保持されている。
【００２１】
アッパケース１１には、図２および図３に示されるように、オイルポンプの吸込口と連通する連通口１４が形成されている。一方、ロアケース１２には、オイルパン内に貯留されているオイルをストレーナ４に取り込むための取込口１５とが形成されている。
【００２２】
オイルポンプが駆動されると、オイルパン内のオイルが取込口１５からストレーナ４内に取り込まれる。ストレーナ４内に取り込まれたオイルは、濾過材１３を通過することにより異物が除去されて、連通口１４を通してオイルポンプに吸い込まれる。
【００２３】
ストレーナ４の外周部には、センサ保持部２１が設けられている。センサ保持部２１は、アッパケース１１と一体に形成された上保持部２２と、ロアケース１２と一体に形成された下保持部２３とを含む。上保持部２２は、アッパケース１１の外周縁に沿う方向に幅を有し、アッパケース１１の外周縁から側方に延び、上側に膨出するように円弧状に湾曲している。下保持部２３は、上保持部２２に対して下側から対向している。下保持部２３は、ロアケース１２の外周縁に沿う方向に幅を有し、ロアケース１２の外周縁から側方に延び、下側に膨出するように円弧状に湾曲している。
【００２４】
センサ保持部２１には、図１および図４に示されるように、油温センサ２４が保持される。油温センサ２４は、樹脂モールド品であり、略円柱状の外形を有している。油温センサ２４は、センサ保持部２１の上保持部２２の先端と下保持部２３の先端との間に、それらの先端間が拡がるように上保持部２２および下保持部２３をそれぞれ弾性変形させつつ押し込まれる。そして、油温センサ２４が上保持部２２および下保持部２３の各湾曲部分まで押し込まれると、上保持部２２および下保持部２３が復元して、上保持部２２および下保持部２３の各湾曲部分により油温センサ２４が包まれるように保持される。
【００２５】
また、ストレーナ４の外周部には、センサ保持部２１と間隔を空けて、ストッパ２５が設けられている。ストッパ２５は、上下方向に幅を有する板状をなし、ロアケース１２の外周縁から側方に延びている。図１に示されるように、センサ保持部２１に保持された油温センサ２４がストッパ２５に当接することにより、油温センサ２４がセンサ保持部２１から抜けて脱落することを抑制できる。
【００２６】
さらに、ストレーナ４の外周部には、図２および図３に示されるように、複数の配線止め部３１がストレーナ４の外周に沿う方向に間隔を空けて設けられている。配線止め部３１は、アッパケース１１と一体に形成され、アッパケース１１の外周縁に沿う方向に幅を有する板状をなし、アッパケース１１の外周縁から側方に延びている。配線止め部３１には、円形の挿入孔３２が厚さ方向に貫通して形成されている。
【００２７】
油温センサ２４から延びる配線３３は、その途中部分が複数の結束具３４で結束されている。結束具３４には、挿入ピン（図示せず）が形成されており、その挿入ピンが配線止め部３１の挿入孔３２に上側から挿入されることによって、配線３３の途中部分が配線止め部３１に止められる。これにより、配線３３は、ストレーナ４の外周に沿うように配索される。そのため、配線３３が配索作業を容易にするために余長を有していても、配線３３が弛むことを抑制できる。よって、オイルパンがトランスミッションケース２に取り付けられるときに、オイルパンの外周部とトランスミッションケース２の外周部との間に配線３３が挟まれることを抑制できる。
【００２８】
また、配線３３が余長を有していれば、バルブボディ３の動作チェックを行うときに、配線３３を配索しやすく、動作チェックの作業を楽に行うことができる。
【００２９】
＜作用効果＞
以上のように、ストレーナ４にセンサ保持部２１が一体的に設けられているので、保持部材などの別部品を設けずに、センサ保持部２１により油温センサ２４をオイルパン内で保持することができる。そのため、従来と比較して、部品点数を削減することができる。そして、部品点数の削減に伴い、油温センサ２４を組み付ける際の作業工数を低減することができ、また、自動変速機１のコストを低減することができる。
【００３０】
しかも、油温センサ２４がセンサ保持部２１に保持されることにより、ストレーナ４の取込口１５の近傍に油温センサ２４が配置される。そのため、取込口１５からストレーナ４に取り込まれるオイルの油温を油温センサ２４で検出することができる。その結果、オイルポンプからバルブボディ３に供給されるオイルの油温を精度よく検出することができるので、油温に基づくソレノイドバルブなどの制御により、自動変速機１の各部に供給される油圧を精度よく調圧することができる。
【００３１】
さらには、油温センサ２４の取付位置がバルブボディ３の形状に左右されないという利点もある。
【００３２】
また、ストレーナ４に配線止め部３１が一体的に設けられているので、配線３３を配線止め部３１に止めることにより、配線３３をストレーナ４の外周に沿わせて配索することができる。そのため、配線３３が余長を有していても、その余長を良好に処理することができる。
【００３３】
＜変形例＞
以上、本発明の一実施形態について説明したが、本発明は、他の形態で実施することもできる。
【００３４】
たとえば、配線止め部３１は、アッパケース１１と一体に形成されているとしたが、ロアケース１２と一体に形成されていてもよい。
【００３５】
また、本発明は、自動変速機１に限らず、手動変速機（ＭＴ：Manual Transmission）に適用することもできる。
【００３６】
その他、前述の構成には、特許請求の範囲に記載された事項の範囲で種々の設計変更を施すことが可能である。
【符号の説明】
【００３７】
１：自動変速機（変速機）
３：バルブボディ
４：ストレーナ
２１：センサ保持部
２４：油温センサ（センサ）
３１：配線止め部
３３：配線
【図１】
2019065885.tif 000003
【図２】
2019065885.tif 000004
【図３】
2019065885.tif 000005
【図４】
2019065885.tif 000006